(57)【要約】【課題】普通換気運転中にバイパス風路に付着した水を乾燥させると同時に熱交換換気を行うことができる熱交換換気装置を得る。【解決手段】バイパス風路切換板１２がバイパス風路１１を開き熱交換器１の給気通路１ａを閉じる位置である普通換気運転の位置から、バイパス風路切換板１２がバイパス風路１１および給気通路１ａの両方を開いた位置である同時換気運転の位置へ、湿度センサ１３の測定値を基に、バイパス風路切換板１２を移動させる。【選択図】          図３
2015021720.tif 000002
【特許請求の範囲】
【請求項１】
給気通路と排気通路を内部に有し、前記給気通路を通過する空気と前記排気通路を通過する空気の間で熱交換を行う熱交換器と、
室外側吸込口と室内側吹出口と室内側吸込口および室外側吸込口が形成され、内部に前記熱交換器を備えたケーシングと、
前記ケーシング内部に形成され、前記給気通路を経由して前記室外側吸込口と前記室内側吹出口とを結ぶ給気風路と、
前記ケーシング内部に形成され、前記排気通路を経由して前記室内側吸込口と前記室外側吹出口とを結ぶ排気風路と、
前記給気風路に前記室外側吸込口から前記室内側吹出口に向かう室外空気の流れを形成する給気送風機と、
前記排気風路に前記室内側吸込口から前記室外側吹出口に向かう室内空気の流れを形成する排気送風機と、
前記給気風路内に形成され、前記室外空気の流れが前記給気通路を迂回するよう形成されたバイパス風路と、
前記給気通路の前記熱交換器より上流側に設けられ、前記バイパス風路の開閉と前記給気通路の開閉を行う風路切換手段と、
前記給気風路の前記熱交換器より上流側に流れる前記室外空気の湿度を測定する湿度測定手段と、
前記湿度測定手段の測定値に基づき、前記風路切換装置を、前記給気通路を閉じ前記バイパス風路を開く普通換気運転から、前記給気通路および前記バイパス風路の両方を開く同時換気運転へ、制御する制御装置と、
を有することを特徴とする熱交換換気装置。
【請求項２】
前記制御装置は、前記普通換気運転であり、前記湿度測定手段の測定値が第２の基準値未満の場合には、前記普通換気運転から前記同時換気運転へ前記風路切換手段を制御することを特徴とする請求項１記載の熱交換換気装置。
【請求項３】
前記制御装置は、予め設定された第１の設定時間以上、同時換気運転を維持している場合には、前記風路切換手段を、前記同時換気運転から、前記給気通路を開き前記バイパス風路を閉じる熱交換換気運転の状態へ、制御することを特徴とする請求項１または２記載の熱交換換気装置。
【請求項４】
前記制御装置は、前記熱交換換気運転であり、前記湿度測定手段の測定値が第１の基準値以上の場合には、前記風路切換手段を、前記熱交換換気運転から、前記普通換気運転へ、制御することを特徴とする請求項３に記載の熱交換換気装置。
【請求項５】
前記制御装置は、前記給気送風機の風量を制御でき、前記風路切換手段を切換える際に、前記給気送風機の風量を変更させることを特徴とする請求項１〜４いずれかに記載の熱交換換気装置。
【請求項６】
前記制御装置は、前記風路切換装置を前記熱交換換気運転から前記普通換気運転へ切換える際に給気風量を下げることを特徴とする請求項５記載の熱交換換気装置。
【請求項７】
前記制御装置は、前記風路切換装置を前記普通換気運転から前記同時換気運転へ切換える際に給気風量を下げることを特徴とする請求項５記載の熱交換換気装置。
【請求項８】
前記制御装置は、前記風路切換装置を前記同時換気運転から前記熱交換換気運転へ切換える際に給気風量を上げることを特徴とする請求項６または７記載の熱交換換気装置。
【発明の詳細な説明】
【技術分野】
【０００１】
本発明は、主に換気分野に利用され、同時給排気換気を行いながら熱交換器を介して給気と排気の間で熱交換を行う熱交換換気装置に関するものである。
【背景技術】
【０００２】
昨今の２４時間換気（常時換気）のニーズの高まりにより、朝晩に霧や靄が多く発生する地域において熱交換換気装置を使用した場合には、換気に伴い製品内部に霧や靄などを含んだ高湿度空気が室外側吸込口から室内へ給気される可能性が高くなっている。霧や靄を含む高湿度空気を熱交換換気装置内部に吸い込むと、高湿度空気が熱交換器で凝集や凝縮して水となり熱交換器を濡らしてしまうため、熱交換器の材質によっては熱交換性能が低下することがあった。
【０００３】
そのような課題の解決策として、例えば特許文献１のように、給気風路内に設置された湿度センサと、熱交換器内の給気通路と並設され給気通路を迂回するバイパス風路と、給気通路とバイパス風路とを切換えるダンパとを備え、ダンパがバイパス風路を閉じ給気通路を開いた熱交換換気運転の状態のときに湿度センサで測定した室外空気の湿度が基準値Ｒａ以上の場合には、ダンパが給気通路を閉じバイパス風路側を開いた普通換気運転に切り換えることを特徴とする熱交換換気装置がある。このような構成とすることにより、熱交換換気運転中に室外空気の湿度が基準値以上となった場合、自動で室外空気を熱交換器に流さない普通換気運転に切り換えることが可能となり、熱交換器の性能の低下が防止できる。また、室外の空気の湿度が基準値以下になった場合には、一定時間普通換気運転を維持した後に自動で熱交換換気運転に切り換えていた。
【先行技術文献】
【特許文献】
【０００４】
【特許文献１】特開２０１１−２２０５６１号公報
【発明の概要】
【発明が解決しようとする課題】
【０００５】
特許文献１の熱交換換気装置は、上述の通り室外の空気が基準値以下になってからも一定時間は普通換気運転を維持している。そのため、一定時間の間は室外空気を熱交換器に流しても熱交換器で凝集や凝縮が発生しない湿度であるにも係らず熱交換換気を行っていない状態であり、空調エネルギーのロスが増えていた。また、室外の空気が基準値以下になってからすぐに普通換気運転から熱交換換気運転に切り換えてしまうと、高湿度空気により水が付着した状態でバイパス風路が密閉されてしまい、バイパス風路に付着した水が乾きにくく悪臭が発生しやすくなる。
【０００６】
本発明は、上記のような課題を解決するためになされたもので、バイパス風路に付着した水を乾燥させると同時に熱交換換気を行うことができる熱交換換気装置を得るものである。
【課題を解決するための手段】
【０００７】
本発明に係る熱交換換気装置は、給気通路と排気通路を内部に有し、前記給気通路を通過する空気と前記排気通路を通過する空気の間で熱交換を行う熱交換器と、室外側吸込口と室内側吹出口と室内側吸込口および室外側吸込口が形成され、内部に前記熱交換器を備えたケーシングと、前記ケーシング内部に形成され、前記給気通路を経由して前記室外側吸込口と前記室内側吹出口とを結ぶ給気風路と、前記ケーシング内部に形成され、前記排気通路を経由して前記室内側吸込口と前記室外側吹出口とを結ぶ排気風路と、前記給気風路に前記室外側吸込口から前記室内側吹出口に向かう室外空気の流れを形成する給気送風機と、前記排気風路に前記室内側吸込口から前記室外側吹出口に向かう室内空気の流れを形成する排気送風機と、前記給気風路内に形成され、前記室外空気の流れが前記給気通路を迂回するよう形成されたバイパス風路と、前記給気通路の前記熱交換器より上流側に設けられ、前記バイパス風路の開閉と前記給気通路の開閉を行う風路切換手段と、前記給気風路の前記熱交換器より上流側に流れる前記室外空気の湿度を測定する湿度測定手段と、前記湿度測定手段の測定値に基づいて、前記風路切換装置を、前記給気通路を閉じ前記バイパス風路を開く普通換気運転から、前記給気通路および前記バイパス風路の両方を開く同時換気運転へ、制御する制御装置と、を有することを特徴としている。
【発明の効果】
【０００８】
本発明に係る熱交換換気装置では、湿度測定手段の測定値に基づいて、普通換気運転から、熱交換器の給気通路及びバイパス風路共に開く同時換気運転に切換えるため、バイパス風路に低湿度の室外空気を流し乾燥させると同時に、熱交換換気を行うことができる。
【図面の簡単な説明】
【０００９】
【図１】本発明の熱交換換気運転時における熱交換換気装置の概略図である。
【図２】本発明の普通換気運転時における熱交換換気装置の概略図である。
【図３】本発明の同時換気運転時における熱交換換気装置の概略図である。
【図４】本発明の実施の形態１における換気運転モードの自動切換制御を表すフローチャート図である。
【図５】本発明の実施の形態２における換気運転モードの自動切換制御を表すフローチャート図である。
【図６】本発明の実施の形態３における換気運転モードの自動切換制御を表すフローチャート図である。
【図７】本発明の実施の形態４における換気運転モードの自動切換制御を表すフローチャート図である。
【発明を実施するための形態】
【００１０】
実施の形態１
図１は本発明の熱交換換気運転時における熱交換換気装置の概略図である。図２は本発明の普通換気運転時における熱交換換気装置の概略図である。図３は本発明の同時換気運転時における熱交換換気装置の概略図である。
【００１１】
熱交換換気装置１００は、直方体の箱形に形成された本体ケーシング２を備えている。また、本体ケーシング２内部には熱交換器１が設けられている。熱交換器１は給気通路１ａと排気通路１ｂを内部に有しており、給気通路１ａ内に流れる空気と排気通路１ｂ内に流れる空気が熱交換を行う構成になっている。この給気通路１ａと排気通路１ｂはそれぞれ独立に形成されている。また、本体ケーシング２内部には熱交換器１と併設するようにバイパス風路１１が設けられている。このバイパス風路１１を通過する空気は、熱交換器１を通過しないため、熱交換は行われない。
【００１２】
本体ケーシング２にはダクトを介して室外側と連通する室外側吸込口７とダクトを介して室内側と連通する室内側吹出口８がそれぞれ設けられている。本体ケーシング２内部には、室外側吸込口７と室内側吹出口８を結ぶ給気風路５が形成されている。給気風路５は、熱交換器１の給気通路１ａを経由するルートと、熱交換器１を迂回してバイパス風路１１を経由するルートに別れている。
【００１３】
また、本体ケーシング２にはダクトを介して室内と連通する室内側吸込口９とダクトを介して室外と連通する室外側吹出口１０がそれぞれ設けられている。本体ケーシング２内部には、室内側吸込口９と室外側吹出口１０を熱交換器１の排気通路１ｂを経由して結ぶ排気風路６が形成されている。
【００１４】
給気送風機３は、給気風路５内に設けられている。給気送風機３が動作することにより、室外空気は室外側吸込口７から吸込まれ、給気風路５を通り、室内側吹出口８より室内へ給気される。また、排気送風機４は、排気風路６内に設けられている。排気送風機４が動作することにより、室内空気は室内側吸込口９から吸込まれ、排気風路６を通り、室外側吹出口１０より室外へ排気される。
【００１５】
給気風路５の熱交換器１より上流側のバイパス風路１１と給気通路１ａとの分岐点には、風路切換手段であるバイパス風路切換板１２が設けられている。バイパス風路切換板１２は給気風路５内の空気の流れに対して垂直方向に移動することで、給気通路１ａの開閉とバイパス風路１１の開閉を行う。なお、バイパス風路切換板１２の移動機構としてはラックアンドピニオンなどの回転運動を直線運動に変換する機械要素とサーボモータなどの位置制御が可能なモータを組み合わせる機構などが挙げられる。
【００１６】
バイパス風路切換板１２の位置によって、熱交換換気装置１００の換気運転モードは熱交換換気運転、普通換気運転、同時換気運転の３種類に分けられる。
【００１７】
熱交換換気運転では、図１のようにバイパス風路切換板１２は給気通路１ａを開放しバイパス風路１１を閉鎖する位置にある。給気風路５の給気通路１ａを経由するルートが開放されるため、室外側吸込口７より吸引された室外空気は給気通路１ａを通過して室内へ給気される。また、室内側吸込口９より吸引された室内空気は熱交換器１の排気通路１ｂを通過して室外に排気される。そのため、熱交換換気運転時の熱交換換気装置１００は、吸引された室内空気と吸引された室外空気の間で熱交換を行って室内を換気することができる。
【００１８】
普通換気運転では、図２のようにバイパス風路切換板１２は給気通路１ａを閉鎖しバイパス風路１１を開放する位置にある。給気風路５のバイパス風路１１を経由するルートが開放されるため、室外側吸込口７より吸引された室外空気はバイパス風路１１を通過して室内へ給気される。そのため、普通換気運転時の熱交換換気装置１００は、吸引された室内空気と吸引された室外空気の間で熱交換を行わずに室内を換気することができる。
【００１９】
同時換気運転では、図３のようにバイパス風路切換板１２はバイパス風路１１の一部だけを開放する位置にある。給気風路５の給気通路１ａを経由するルートとバイパス風路１１を経由するルートの両方が開放されるため、室外側吸込口７より吸引された室外空気の一部は給気通路１ａを通過し、それ以外はバイパス風路１１を通過して室内へ給気される。そのため、同時換気運転時の熱交換換気装置１００は、吸引され給気通路１ａを通過した室外空気の一部と吸引された室内空気の間で熱交換を行うと同時にバイパス風路１１にも吸引された室外空気の一部を通過させて換気することができる。
【００２０】
給気風路５のバイパス風路切換板１２よりも上流側には、吸引された室外空気の湿度を検出する湿度測定手段である湿度センサ１３を備えられている。また、熱交換換気装置１００には、バイパス風路切換板１２の位置並びに給気送風機３および排気送風機４の風量を制御する制御装置１４が設けられている。制御装置１４は湿度センサ１３およびリモコンなどの外部コントローラ１５と接続されている。制御装置１４は湿度センサ１３および外部コントローラ１５からの信号を基に、バイパス風路切換板１２の位置並びに給気送風機３および排気送風機４の風量を制御する。
【００２１】
また、熱交換換気装置１００は上記外部コントローラ１５により、換気運転の入切（ＯＮ−ＯＦＦ）、換気風量（強弱）、換気運転モードの切換（熱交換換気運転又は普通換気運転）および後述する換気運転モードの自動切換制御の入切（ＯＮ−ＯＦＦ）を任意に設定できるようになっている。外部コントローラ１５により換気運転がＯＮにされると、給気送風機３および排気送風機４が同時に動作する。この際に外部コントローラ１５により選択された換気運転と風量に基づいて換気が行われる。
【００２２】
次に、実施の形態１における換気運転モードの自動切換制御について説明する。図４は実施の形態１における換気運転モードの自動切換制御を表すフローチャート図である。
【００２３】
換気運転モードの自動切換制御が開始されると、まずステップＳ１０において現在の熱交換換気装置１００の換気運転モードが熱交換換気運転であるかどうかを判定する。熱交換換気運転である場合はステップＳ２０に進み、熱交換換気運転でない場合はステップＳ４０に進む。
【００２４】
ステップＳ２０では、湿度センサ１３により検出された室外空気の湿度Ｒ％が予め設定された第１の基準値Ｒａ％以上、つまりＲ≧Ｒａであるかを制御装置１４が判定する。Ｒ≧Ｒａであると判定した場合はステップＳ３０に進み、Ｒ＜Ｒａであると判定した場合はステップＳ２０の判定に戻る。第１の基準値Ｒａ％は室外空気が高湿度かどうかを判定する湿度の基準であり、熱交換器１に凝集や凝縮が発生するような湿度に設定すればよい。本実施例では一例としてＲａ＝９０％と仮定して説明を行う。
【００２５】
ステップＳ３０では、バイパス風路切換板１２を図１の状態から図２の状態へ移動させ、換気運転モードを熱交換換気運転から普通換気運転に変更し、ステップＳ４０に進む。ステップＳ４０では湿度センサ１３により検出された現在の室外空気の湿度Ｒ％が第２の基準値（Ｒａ−５）％未満、つまりＲ＜（Ｒａ−５）であるかを制御装置１４が判定する。Ｒ＜（Ｒａ−５）と判定した場合、ステップＳ５０に進み、Ｒ≧（Ｒａ−５）と判定した場合、ステップＳ４０の判定に戻る。第２の基準値（Ｒａ−５）％を第１の基準値Ｒａ％よりも低い値に設定することで、室外空気の湿度Ｒ％が第１の基準値Ｒａ％前後で変動する場合に室外空気の湿度の変動に応じて換気運転モードが頻繁に切り替わることを防いでいる。本実施例ではＲａ＝９０％と仮定しているので、第２の基準値は（Ｒａ−５）＝８５％と仮定する。また、本実施例では湿度差は５％としているが、換気運転モードが頻繁に切り替わることを防ぐのであれば湿度差は５％に限定されない。
【００２６】
ステップＳ５０では、制御装置１４がバイパス風路切換板１２を図２の状態から図３の状態へ移動させ、換気運転モードを普通換気運転から同時換気運転に変更し、ステップＳ６０に進む。ステップＳ６０では制御装置１４が、同時換気運転時間がどの程度の時間続いているかを表す同時換気運転継続時間ｔ１の測定を開始し、ステップＳ７０へ進む。同時換気運転継続時間ｔ１の測定方法としては制御装置１４にタイマを内蔵するなどが挙げられる。
【００２７】
ステップＳ７０では、同時換気運転継続時間ｔ１が予め設定された第１の設定時間Ｔａ経過したか、つまりｔ１≧Ｔａであるかを制御装置１４が判定する。第１の設定時間Ｔａはバイパス風路１１に付着した水が乾燥するまで同時換気運転を続ける時間である。本実施例では一例としてＴａ＝２時間と仮定して説明を行うが、バイパス風路１１に付着した水が乾燥する時間であればＴａ＝２時間に限定されない。
【００２８】
ステップＳ７０においてｔ１≧Ｔａであると判定した場合は、ステップＳ１００にて制御装置１４が同時換気運転継続時間ｔ１の測定を終了してからステップＳ１１０に進む。ステップＳ１１０では、制御装置１４がバイパス風路切換板１２を図３の状態から図１の状態へ移動させ、換気運転モードを同時換気運転から熱交換換気運転に変更し、ステップＳ２０に戻る。
【００２９】
ステップＳ７０においてｔ１＜Ｔａであると判定した場合は、ステップＳ８０へと進む。ステップＳ８０では、再び湿度センサ１３により検出された現在の室外空気の湿度Ｒ％が予め設定された第１の基準値Ｒａ％以上であるかを制御装置１４が判定する。Ｒ≧Ｒａであると判定した場合はステップＳ９０にて同時換気運転継続時間ｔ１の測定を終了してからステップＳ３０に戻り、換気運転モードを同時換気運転から普通換気運転に変更する。Ｒ＜Ｒａであると判定した場合はステップＳ７０に戻る。
【００３０】
以上の構成および動作により霧や靄などの高湿度な室外空気発生時に普通換気運転を行い、バイパス風路内に水滴が付着しても、普通換気運転終了後に同時換気運転を一定時間行いバイパス風路内に低湿度の空気を流すことで、バイパス風路内の乾燥を行うことができる。また、同時換気運転では熱交換器にも空気を流しているため、バイパス風路内の乾燥中でも熱交換換気を行うことができ、空調エネルギーのロスを軽減することができる。
【００３１】
なお、同時換気運転においてバイパス風路１１を通過する吸引された室外空気の風量は、バイパス風路切換板１２がバイパス風路１１を開放する面積に比例する。そのため、バイパス風路１１を開放する面積を広くすると、バイパス風路１１を通過する風量は多くなり、バイパス風路１１は早く乾燥する。逆にバイパス風路１１を開放する面積を狭くすると、熱交換器１を通過する風量が多くなり、同時換気運転中の熱交換効率が上がる。この同時換気運転におけるバイパス風路１１を開放させる面積は一律に設定しても良いし、外部コントローラ１５でユーザーが任意に設定できるようにしても良い
【００３２】
さらに、本実施の形態１における熱交換換気装置１００では給気風路５とバイパス風路１１の切換をバイパス風路切換板１２で行っていたが、これに限らず、給気風路とバイパス風路を同時に通風できるならば、特許文献１のダンパのような従来の風路切換手段であっても構わない。
【００３３】
実施の形態２
図５は実施の形態２における換気運転モードの自動切換制御のフローチャート図である。なお、熱交換換気装置１００の構造は実施の形態１と同じである。次に実施の形態２における換気運転モードの自動切換制御のフローチャート図を説明する。実施の形態２の制御フローチャートはステップＳ２１〜Ｓ２５、ステップＳ４１〜Ｓ４５が追加されている以外は、実施の形態１の制御フローチャートと略同じである。よって、実施の形態１と同様の箇所については説明を割愛する。
【００３４】
ステップＳ２０において、制御装置１４がＲ≧Ｒａであると判定した場合はステップＳ２１に進む。ステップＳ２１では制御装置１４が、室外湿度の高湿度状態がどの程度の時間続いているかを表す高湿度継続時間ｔ２の測定を開始し、ステップＳ２２へ進む。高湿度継続時間ｔ２の測定方法としては、同時換気運転計測時間ｔ１を測定するタイマを用いるなどが挙げられる。
【００３５】
ステップＳ２２では、高湿度継続時間ｔ２が予め設定された第２の設定時間Ｔｂ経過したか、つまりｔ２≧Ｔｂであるかを制御装置１４が判定する。第２の設定時間Ｔｂは室外湿度が第１の基準値Ｒａ％以上の高湿度状態で安定したかを判定するための設定時間である。本実施例では一例としてＴｂ＝２時間と仮定して説明を行うが、室外湿度が高湿度状態で安定したかを判定できればＴｂ＝２時間に限定されない。
【００３６】
ステップＳ２２においてｔ２≧Ｔｂであると判定した場合にステップＳ２５にて制御装置１４は高湿度継続時間ｔ２の測定を終了してからステップＳ３０に進み、ステップＳ３０では制御装置１４は換気運転モードを熱交換換気運転から普通換気運転に切換える。
【００３７】
ステップＳ２２において、ｔ２＜Ｔｂであると判定した場合はステップＳ２３へと進む。ステップＳ２３では、再び湿度センサ１３により検出された現在の室外空気の湿度Ｒ％が予め設定された第１の基準値Ｒａ％以上であるかを制御装置１４が判定する。Ｒ≧Ｒａであると判定した場合はステップＳ２４にて制御装置１４は高湿度継続時間ｔ２の測定を終了し、ステップＳ２０へ戻る。Ｒ＜Ｒａであると判定した場合はステップＳ２２へ戻る。
【００３８】
また、ステップＳ４０において、制御装置１４がＲ＜（Ｒａ−５）であると判定した場合はステップＳ４１に進む。ステップＳ４１では制御装置１４が、室外湿度の低湿度状態がどの程度の時間続いているかを表す低湿度継続時間ｔ３の測定を開始し、ステップＳ４２へ進む。低湿度継続時間ｔ３の測定方法としては、高湿度継続時間ｔ２と同様に同時換気運転計測時間ｔ１を測定するタイマを用いるなどが挙げられる。
【００３９】
ステップＳ４２では、低湿度継続時間ｔ３が予め設定された第３の設定時間Ｔｃ経過したか、つまりｔ３≧Ｔｃであるかを制御装置１４が判定する。第３の設定時間Ｔｃは室外湿度が第１の基準値Ｒａ％以下の低湿度状態で安定したかを判定するための設定時間である。本実施例では一例としてＴｃ＝３０分と仮定して説明を行うが、室外湿度が低湿度状態で安定したかを判定できればＴｃ＝３０分に限定されない。また、ステップＳ４０の判定にて現在の室外空気の湿度Ｒ％は第１の基準値Ｒａ％以下の値であるため、室外湿度安定の判定に必要な時間は短くて良い。
【００４０】
ステップＳ４２において、ｔ３≧Ｔｃであると判定した場合はステップＳ４５にて制御装置１４は低湿度継続時間ｔ３の測定を終了してからステップＳ５０に進む。ステップＳ５０では制御装置１４が換気運転モードを普通換気運転から同時換気運転に切換える。
【００４１】
ステップＳ４２において、ｔ３＜Ｔｃであると判定した場合はステップＳ４３へと進む。ステップＳ４３では、再び湿度センサ１３により検出された現在の室外空気の湿度Ｒ％が予め設定された第１の基準値Ｒａ％以上であるかを制御装置１４が判定する。Ｒ≧Ｒａであると判定した場合はステップＳ４４にて制御装置１４は低湿度継続時間ｔ３の測定を終了し、ステップＳ４０に戻る。Ｒ＜Ｒａであると判定した場合はステップＳ４２に戻る。
【００４２】
このように実施の形態２における熱交換換気装置は、普通換気運転および同時換気運転の切換前に室外湿度を一定時間測定し、室外湿度が安定しているか判定している。よって、安価で精度の低い湿度センサを湿度センサ１３に用いるなど湿度センサの検出値が大きく振れる場合においても、換気運転モードが頻繁に切り替わることを防止している。
【００４３】
実施の形態３
図６は実施の形態３における換気運転モードの自動切換制御のフローチャート図である。なお、熱交換換気装置１００の構造は実施の形態１と同じである。次に実施の形態３における換気運転モードの自動切換制御のフローチャート図を説明する。実施の形態３の制御フローチャートはステップＳ５１，Ｓ９１，Ｓ１１１が追加されている以外は実施の形態２の制御フローチャートと略同じである。よって、実施の形態２と同様の箇所については説明を割愛する。
【００４４】
ステップＳ５０で制御装置１４がバイパス風路切換板１２を移動させ、換気運転モードを普通換気運転から同時換気運転に変更した後、ステップＳ５１に進む。ステップＳ５１では制御装置１４が給気風量を強制的に弱風量に変更し、ステップＳ６０に進む。なお、ステップＳ５０を実行した後にステップＳ５１を実行しているが、これに限らず、例えば換気運転モードの変更と同時もしくはｔ３測定終了と同時など、ステップＳ５１の位置はステップＳ４５からステップＳ６０までの間であれば良い。
【００４５】
また、ステップＳ９０でｔ１の測定を終了した後、ステップＳ９１に進む。ステップＳ９１ではステップＳ５１で変更する前の給気風量、つまり外部コントローラ１５で設定された風量に制御装置１４は給気風量を戻し、ステップＳ３０へ戻る。なお、ステップＳ９０が終了してからステップＳ９１へ進んでいるが、これに限らず、ステップＳ９１の位置はステップＳ８０でＲ≧Ｒａが真と判定されてからステップＳ３０までの間であれば良い。
【００４６】
また、ステップＳ１１０で制御装置１４がバイパス風路切換板１２を移動させ、換気運転モードを同時換気運転から熱交換換気運転に変更した後、ステップＳ１１１に進む。ステップＳ１１１ではステップＳ９１と同様に制御装置１４は給気風量を外部コントローラ１５で設定された風量へ戻し、ステップＳ２０に戻る。なお、ステップＳ１１０を実行した後にステップＳ１１１を実行しているが、これに限らず、ステップＳ５１と同様に、換気運転モードを切換えと同時もしくは切換えの直前など、ステップＳ１１０からとステップＳ２０までの間であれば良い。
【００４７】
同時換気運転はバイパス風路に給気流の一部を流しているため、給気流全てが熱交換器に流れ熱交換される熱交換換気運転に比べて熱交換効率は劣る。また、一般的に熱交換換気装置は給気風量が少なくなるに伴い、熱交換効率が上がることが知られている。そこで、実施の形態３における熱交換換気装置は、同時換気運転を行う場合の給気風量を強制的に弱風量に変更することによって、選択可能な風量であり給気風量が最も少ない状態にでき、熱交換効率が向上するため、さらに空調エネルギーのロスを軽減することができる。
【００４８】
なお、実施の形態３の換気運転モードの自動切換制御のフローチャートは実施の形態２の換気運転モードの自動切換制御のフローチャートを基にしているが、これに限らず、実施の形態１の換気運転モードの自動切換制御のフローチャートを基にしても良い。その場合、ステップＳ９１およびステップＳ１１１は実施の形態３と同様の場所に、ステップＳ５１は、ステップＳ４０でＲ＜（Ｒａ−５）が真と判定されてからステップＳ６０までの間に、それぞれ設ければよい。
【００４９】
さらに、実施の形態３ではステップＳ５１にて給気風量のみ弱風量に変更しているが、これに限らず、給気風量の変更と同時に排気風量も同時に変更しても良い。一般的に排気風量＞給気風量の場合は排気風量と給気風量の差が大きいほど熱交換効率は上がるので、給気風量を弱風量に変更すると同時に排気風量を強風量に変更することで、排気風量と給気風量の差はさらに大きくなり、より空調エネルギーのロスを軽減することができる。また、給気風量を弱風量に変更すると同時に排気風量も弱風量に変更することで、排気風量と給気風量のバランスを取ることができ、室内が負圧になることを防ぐことができる。
【００５０】
また、実施の形態３ではステップＳ５１において給気風量を弱風量に変更しているが、これに限らず、逆に給気風量を強風量に変更しても良い。この場合、給気風量が多くなるため熱交換効率は下がってしまうが、バイパス風路１１を流れる給気流が多くなりバイパス風路１１がより早く乾くため、第１の設定時間Ｔａを短く設定できより早く熱交換換気運転に復帰できる。
【００５１】
実施の形態４
図７は実施の形態４における換気運転モードの自動切換制御のフローチャート図である。なお、熱交換換気装置１００の構造は実施の形態１と同じである。次に実施の形態４における換気運転モードの自動切換制御のフローチャート図を説明する。実施の形態４の制御フローチャートはステップＳ５１およびステップＳ９１が除かれ、ステップＳ３１が追加されている以外は実施の形態３の制御フローチャートと略同じである。よって、実施の形態３と同様の箇所については説明を割愛する。
【００５２】
ステップＳ３０で制御装置１４がバイパス風路切換板１２を移動させ、換気運転モードを熱交換換気運転から普通換気運転に変更した後、ステップＳ３１に進む。ステップＳ３１では制御装置１４が給気風量を強制的に弱風量に変更させ、ステップＳ４０に進む。なお、ステップＳ３０を実行した後にステップＳ３１を実行しているが、これに限らず、例えば換気運転モードを同時換気運転に切換えと同時もしくはｔ２測定終了と同時など、ステップＳ３１の位置はステップＳ２５からステップＳ４０までの間であれば良い。
【００５３】
実施の形態４における熱交換換気装置１００は、同時換気運転を行う場合だけでなく、普通換気運転を行う場合も給気風量を強制的に弱風量にすることによって、実施の形態３における効果の他にも普通換気運転中に室内への高湿度空気の流入をある程度抑え室内の湿度上昇を抑えることができる。
【００５４】
なお、実施の形態４の換気運転モードの自動切換制御のフローチャートは実施の形態３の換気運転モードの自動切換制御のフローチャートを基にしているが、これに限らず、実施の形態１の換気運転モードの自動切換制御のフローチャートを基にしても良い。その場合、ステップＳ３１は、ステップＳ２０でＲ≧Ｒａが真と判定されてからステップＳ４０までの間に設ければよい。
【００５５】
また、実施の形態３および実施の形態４では強制的に弱風量に変更することで給気風量を下げているが、これに限らず、例えば外部コントローラ１５で設定されている給気風量よりある一定の割合だけ給気風量を減じるよう変更するなど、給気風量を減じることができれば良い。
【００５６】
また、実施の形態３および実施の形態４の熱交換換気装置は外部コントローラ１５で設定可能な換気風量は強と弱の２種類しかないが、これに限らず、例えば強、中および弱など複数段階であれば良く段階数には制限されない。また、設定可能な換気風量が３段以上ある場合は、給気風量を減じる際に強制的に最も給気風量が少ない風量に変更するだけに限らず、例えば強、中および弱と３段階ある場合は外部コントローラ１５で強風量が選択されていれば中風量へ変更し、同様に中風量が設定されていたら弱風量へ変更し、選択可能な風量の中で最小の風量である弱風量が選択されていたら弱風量のままにするなど、外部コントローラ１５で選択されている風量よりも１段階少ない風量へ変えても良い。
【００５７】
また、実施の形態１から実施の形態４までの換気運転モードの自動切換制御のフローチャートを外部コントローラ１５で選択できるようにしても良い。
【符号の説明】
【００５８】
１  熱交換器、１ａ  給気通路、１ｂ  排気通路、２  本体ケーシング、３  給気送風機、４  排気送風機、５  給気風路、６  排気風路、７  室外側吸込口、８  室内側吹出口、９  室内側吸込口、１０  室外側吹出口、１１  バイパス風路、１２  バイパス風路切換板、１３  湿度センサ、１４  制御装置、１５  外部コントローラ、１００  熱交換換気装置
【図１】
2015021720.tif 000003
【図２】
2015021720.tif 000004
【図３】
2015021720.tif 000005
【図４】
2015021720.tif 000006
【図５】
2015021720.tif 000007
【図６】
2015021720.tif 000008
【図７】
2015021720.tif 000009